(57)【要約】  本実施例は空気清浄機に関する。本実施例に係る空気清浄機には、半径方向での空気の吸い込みが行われる第１吸込部、第１ファン、及び第１フィルター部材が備えられる、第１空気清浄モジュールと；前記第１空気清浄モジュールの上側に配置され、前記半径方向での空気の吸い込みが行われる第２吸込部、第２ファン、及び第２フィルター部材が備えられる、第２空気清浄モジュールと；前記第２空気清浄モジュールに結合され、第３ファンが備えられて前記第２空気清浄モジュールから排出された空気の流動を調節する、流動調節モジュールとが含まれる。【選択図】  図３
2019509171.tif 000002
【特許請求の範囲】
【請求項１】
空気清浄機であって、
半径方向での空気の吸い込みが行われる第１吸込部、第１ファン、及び第１フィルター部材が備えられる、第１空気清浄モジュールと、
前記第１空気清浄モジュールの上側に配置され、前記半径方向での空気の吸い込みが行われる第２吸込部、第２ファン、及び第２フィルター部材が備えられる、第２空気清浄モジュールと、
前記第２空気清浄モジュールに結合され、第３ファンが備えられて前記第２空気清浄モジュールから排出された空気の流動を調節する、流動調節モジュールとが備えられてなる、空気清浄機。
【請求項２】
前記第１空気清浄モジュールと、前記第２空気清浄モジュールとは上下方向に積層されるように配置され、
前記第１空気清浄モジュールから排出される空気と、前記第２空気清浄モジュールから排出される空気とは互いに独立した流動を有することを特徴とする、請求項１に記載の空気清浄機。
【請求項３】
前記第１空気清浄モジュールに備えられ、前記第１ファンを通過した空気の上方排出をガイドする第１吐出部と、
前記流動調節モジュールに備えられ、前記第３ファンを通過した空気の上方排出をガイドする第２吐出部とが備えられてなる、請求項２に記載の空気清浄機。
【請求項４】
前記第１ファン又は前記第２ファンには遠心ファンが備えられてなり、
前記第３ファンには軸流ファンが備えられてなる、請求項１に記載の空気清浄機。
【請求項５】
前記第１ファン〜第３ファンの回転軸は同一軸線上に延びることを特徴とする、請求項１に記載の空気清浄機。
【請求項６】
前記第１ファン〜前記第３ファンに結合される各ファンモータは同一軸線上に延びることを特徴とする、請求項５に記載の空気清浄機。
【請求項７】
前記第１空気清浄モジュールと前記第２空気清浄モジュールとを分離させる仕切り装置がさらに備えられてなる、請求項１に記載の空気清浄機。
【請求項８】
前記仕切り装置は、前記第１及び第２空気清浄モジュールの間に配置される、請求項７に記載の空気清浄機。
【請求項９】
前記第１空気清浄モジュールの上部には第１吐出部が備えられてなり、
前記仕切り装置は、前記第１吐出部と前記第２空気清浄モジュールの下端部との間に配置されることを特徴とする、請求項７に記載の空気清浄機。
【請求項１０】
前記仕切り装置には、
前記第１空気清浄モジュールの上部から前記第２空気清浄モジュールの下部に延びて、前記第１及び第２送風装置を離隔させるレッグが備えられてなる、請求項７に記載の空気清浄機。
【請求項１１】
前記第１空気清浄モジュール又は前記第２空気清浄モジュールに備えられ、
前記第１フィルター部材又は前記第２フィルター部材を支持するフィルターフレームがさらに備えられてなる、請求項１に記載の空気清浄機。
【請求項１２】
前記フィルターフレームには、
前記第１フィルター部材の下部を支持する第１フレームと、
前記第２フィルター部材の上部を支持する第２フレームと、
前記第１フレームから前記第２フレームに延びるフィルター支持部とが備えられてなる、請求項１１に記載の空気清浄機。
【請求項１３】
前記フィルター支持部は多数個が提供され、前記多数個のフィルター支持部は円周方向に配列されることを特徴とする、請求項１２に記載の空気清浄機。
【請求項１４】
前記第１フィルター部材又は前記第２フィルター部材は、円筒状の形状を有する、請求項１３に記載の空気清浄機。
【請求項１５】
前記第１フィルター部材又は前記第２フィルター部材の下側を支持する支持装置と、
前記支持装置を上方又は下方に移動させるレバー装置とがさらに備えられてなる、請求項１に記載の空気清浄機。
【請求項１６】
第１吸込部を有する第１ケース及び前記第１ケースの内部に設置される第１送風ファンが備えられる、第１空気清浄モジュールと、
前記第１空気清浄モジュールの上側に配置され、第２吸込部を有する第２ケース及び前記第２ケースの内部に設置される第２送風ファンが備えられる、第２空気清浄モジュールと、
前記第２空気清浄モジュールの上側に配置され、流動調節ファンが備えられる流動調節モジュールとが備えられてなり、
前記第１空気清浄モジュールには、前記第１送風ファンを通過した空気が排出される第１吐出部が備えられてなり、
前記流動調節モジュールには、前記第２送風ファン及び前記流動調節ファンを通過した空気が排出される第２吐出部が備えられてなる、空気清浄機。
【請求項１７】
前記第１ケース又は前記第２ケースは円筒形状を有し、
前記第１吸込部又は前記第２吸込部は、前記ケースの外周面に沿って円周方向に形成されることを特徴とする、請求項１６に記載の空気清浄機。
【請求項１８】
前記第１空気清浄モジュールの下側を支持するベースと、
前記ベースと前記第１ケースとの離隔空間に形成されて空気を吸い込むベース吸込部とがさらに備えられてなる、請求項１６に記載の空気清浄機。
【請求項１９】
前記第１空気清浄モジュールと前記第２空気清浄モジュールとの間に形成される離隔空間と、
前記離隔空間に配置され、前記第１吐出部から排出される空気が前記第２吸込部に流動することを遮断する遮断壁とがさらに備えられてなる、請求項１６に記載の空気清浄機。
【請求項２０】
前記遮断壁は半径方向に延びて、前記離隔空間を上部空間と下部空間とに仕切ることを特徴とする、請求項１９に記載の空気清浄機。
【発明の詳細な説明】
【技術分野】
【０００１】
本発明は、空気清浄機に関する。
【背景技術】
【０００２】
空気清浄機は、汚染された空気を吸い込んで浄化した後、浄化した空気を排出させる装置として理解される。一例として、空気清浄機には、外部の空気を空気清浄機の内部に流入させるための送風装置、及び空気中の塵埃や細菌などをろ過できるフィルターが含まれ得る。
【０００３】
一般に、空気清浄機は、家庭や事務室のような室内空間を浄化するように構成される。従来の空気清浄機によれば、その容量が制限されて室内空間全体の空気を浄化させることが制限されるという問題があった。したがって、前記空気清浄機の周辺の空気は浄化できる反面、前記空気清浄機から遠く離れた空間の空気は浄化することが難しいという問題があった。
【０００４】
これを解決するために、空気清浄機に備えられるファンの性能を改善させる努力があったが、ファンの送風量が大きくなるほど、ファンから発生する騒音が大きくなってしまい、製品に対する信頼性が低下するという問題があった。
【０００５】
結局、空気清浄機の制限された容量によって、使用者は、空気清浄機を移動させながら、所望の空間の空気を浄化させなければならないという不便さがあった。
【０００６】
従来の空気清浄機に関連して、本出願人は、以下のような先行文献を開示している。
【０００７】
１．公開番号（公開日）：ＫＲ１０−２０１２−００７１９９２（２０１２年７月３日）
【０００８】
２．発明の名称：空気清浄機
【０００９】
前記先行文献によれば、空気清浄機の本体は、略直方体形状のケースの内部に、ファンとフィルターのような空気清浄部品が設けられる。そして、空気吸込口は、空気清浄機の本体の側方部及び下部に形成され、空気吐出口は、本体の上部に形成される。
【００１０】
このような構成によれば、空気清浄機を基準として、制限された方向、すなわち、側方及び下方から汚染された空気が吸い込まれるため、吸込容量が少なくなるという問題があった。そして、直方体形状を有するケースの角部は、空気の吸い込みを妨げる構造的な抵抗として作用するようになる。
【００１１】
また、前記空気清浄機の内部で浄化された空気は、一方向、すなわち、上方にのみ吐出されることによって、空気清浄機の周辺の空気は浄化できる反面、前記空気清浄機から遠く離れた空間までは前記浄化された空気を流動させることができないため、空気清浄機能が制限されるという問題があった。
【００１２】
また、前記空気清浄機の本体の内部には一つの送風ファンのみが提供されることによって、送風容量が制限されるという問題があった。
【発明の概要】
【発明が解決しようとする課題】
【００１３】
本実施例は、上記の問題点を解決するために、空気清浄機に吸い込まれる空気の吸込容量を改善することができる空気清浄機を提供することを目的とする。
【００１４】
特に、空気清浄機の円周方向から空気清浄機の内部に向かう吸込流路、及び空気清浄機の上部及び下部を介して流入する吸込流路が含まれることで、室内にいる者が座っていたり、立っていても、その周辺の空気を十分に吸い込むことができる空気清浄機を提供することを目的とする。
【００１５】
また、本実施例は、空気清浄機から吐出される空気が様々な方向に吐出され、且つ、遠い距離まで到達できるようにする空気清浄機を提供することを目的とする。特に、空気清浄機を中心に上方、前方及び左右方向に向かって吐出気流が容易に発生して、室内にいる者が座っていたり、立っていても、その周辺空間に向かって空気を容易に吐出することができる空気清浄機を提供することを目的とする。
【００１６】
また、空気清浄機から吐出される空気が空気清浄機の外部に容易にガイドされ得るようにし、前記吐出される空気が前記空気清浄機に再び流入することを防止することができる空気清浄機を提供することを目的とする。
【００１７】
また、送風容量が増加した空気清浄機を提供することを目的とする。
【００１８】
また、送風容量を増加させるために遠心ファンを採用する場合、前記遠心ファンを通過した空気が吐出部に向かって上方に容易に流動できるようにエアガイド装置が備えられる空気清浄機を提供することを目的とする。
【００１９】
また、本実施例は、フィルターの浄化能力を改善し、フィルターの交換が容易な空気清浄機を提供することを目的とする。
【００２０】
また、フィルターを空気清浄機の内部に設置するための設置空間を別途に設けなくても、フィルターの設置が容易な空気清浄機を提供することを目的とする。
【課題を解決するための手段】
【００２１】
本実施例に係る空気清浄機には、円筒状のケース、及び前記ケースの外周面に沿って形成される吸込部が形成される。
【００２２】
また、空気清浄機には、空気流動を発生させる多数の送風装置が含まれる。
【００２３】
また、前記多数の送風装置には、上下方向に配列された第１及び第２送風装置が含まれ、前記第１及び第２送風装置の間には、前記第１及び第２送風装置を介した空気流動を相互に遮断する仕切り装置が提供される。
【００２４】
また、前記仕切り装置には、第１送風装置の吐出空間を確保できるレッグ、及び前記レッグに結合される遮断壁が含まれる。
【００２５】
また、前記送風装置には、分離可能に結合されるフィルター部材が含まれ、前記フィルター部材は、フィルターフレームにスライドされて支持され、ハンドルの操作によって結合状態に切り替えられ得る。
【００２６】
また、前記フィルター部材は円筒状に備えることができる。
【００２７】
また、前記送風装置には、空気流動を発生させるためのターボファンが含まれる。
【００２８】
また、前記送風装置には、前記ターボファンを通過した空気を吐出部にガイドするエアガイド装置が含まれる。
【００２９】
また、前記エアガイド装置には、前記エアガイド装置の円周方向に配列されて、前記ターボファンを通過した空気が軸方向に流動できるようにガイドする多数のガイドリブが含まれる。
【００３０】
また、前記ガイドリブの一面に備えられる突出部がさらに含まれる。
【００３１】
また、前記第１及び第２送風装置の仕切られた空間、または送風装置を支持するベースの内部空間にＰＣＢアセンブリが備えられる。
【００３２】
また、送風装置の一側に設置され、前記送風装置を通過した空気の少なくとも一部の空気流動を切り替える流動調節装置がさらに含まれる。
【００３３】
また、前記流動調節装置には、軸方向に空気を吸い込んで前記軸方向に空気を吐出させる軸流ファンが含まれる。
【００３４】
また、前記流動調節装置には、軸流ファンを上下又は左右方向に回転させる回転ガイド装置が含まれる。
【００３５】
前記回転ガイド装置には、前記軸流ファンを左右方向に回転するようにする第１ギアアセンブリが含まれる。
【００３６】
前記回転ガイド装置には、前記軸流ファンを上下方向に回転するようにする第２ギアアセンブリが含まれる。
【００３７】
また、空気清浄機の一般運転モードにおいて、前記流動調節装置は第１位置に移動し、前記第１位置で前記軸流ファンは横になっている状態、すなわち、前記軸流ファンの軸方向が上下方向となる状態にあることになる。
【００３８】
また、空気清浄機の流動切替モードにおいて、前記流動調節装置は第２位置に移動し、前記第２位置で前記軸流ファンは立てられた状態、すなわち、前記軸流ファンの軸方向が前方に向かって傾斜する状態にあることになる。
【発明の効果】
【００３９】
本実施例によれば、円筒状のケースの外周面に沿って吸込部が形成されるので、吸込容量を改善することができ、空気の吸込過程でケースの構造的な抵抗が発生しないという効果がある。
【００４０】
特に、前記吸込部には多数の通孔が含まれ、前記多数の通孔は、ケースの外周面全体にわたって均一に形成できるので、空気清浄機を基準として３６０°方向において、前記空気清浄機の内部に向かう吸込流路を形成できるようになる。結局、空気の吸込面積が増加し得、室内にいる者が座っていたり、立っていても、その周辺の空気を十分に吸い込むことができるという効果が奏される。
【００４１】
そして、前記吸込部には、第１ケースに備えられる第１吸込部、第２ケースに備えられる第２吸込部及びベース側に備えられる第３吸込部が含まれることで、ケースの下部から上部に至るまで軸方向に長く形成され得る。したがって、空気清浄機を基準として、室内空間の下部に存在する空気と、相対的に高い位置に存在する室内空間の空気とが前記空気清浄機に吸い込まれ得るので、室内空間の吸込容量を増加させることができる。
【００４２】
また、第２送風装置を通じて空気の上方吐出がガイドされ、前記第２送風装置の上側に備えられる流動調節装置によって空気の前方吐出がガイドされ得る。そして、前記流動調節装置が回転する過程で、空気の左右方向への吐出がガイドされ得る。結局、空気清浄機を基準として様々な方向に空気の吐出がガイドされ、空気清浄機から遠い距離まで吐出気流を形成できるので、室内空間の空気清浄機能を改善することができる。そして、室内にいる者が座っていたり、立っていても、その周辺空間に向かって吐出気流を容易に発生させることができるという利点がある。
【００４３】
また、第１及び第２送風装置を仕切る仕切り装置に、横方向又は半径方向に延びる遮断壁が備えられるので、第１送風装置を介して吐出される空気が第２送風装置に再び流入することを防止することができる。そして、前記第１送風装置を介して吐出される空気は前記遮断壁によって前記空気清浄機の外部に容易にガイドされ得るという効果が奏される。
【００４４】
また、多数の送風装置が提供されるので、空気清浄機の送風容量を改善することができるという利点がある。
【００４５】
また、空気清浄機の送風容量を増加させるための遠心ファン、及び前記遠心ファンの出口側に配置されるエアガイド装置が備えられるので、遠心ファンを通過して半径方向に流動する空気が吐出部に向かって上方に容易にガイドされ得る。
【００４６】
また、前記第１及び第２送風装置を通じて互いに独立した空気流動が発生して、空気流動の相互間に互いに邪魔になる現象を防止することができ、これによって、空気流動性が改善される効果が奏される。
【００４７】
また、フィルター部材は円筒状に備えられることで、空気がフィルター部材の外側の全方向からフィルター部材の内部に流入し得るので、吸込面積が増大することができ、これによって、フィルターの空気清浄能力を改善することができるという利点がある。
【００４８】
また、フィルター部材は、フィルターフレームに向かって半径方向にスライドされ得るので、前記フィルター部材の結合又は分離が容易であるという利点がある。
【００４９】
また、送風ファンには、空気を軸方向に吸い込んで半径方向に吐出するターボファンが含まれるので、風量を増加させることができるという利点がある。
【００５０】
また、前記ターボファンの出口側に、ガイドリブが備えられるエアガイド装置が含まれるので、流動損失を減少させ、騒音を低減させることができるという利点がある。
【００５１】
また、前記ガイドリブに突出部が備えられるので、渦流の発生が減少し、吐出部に向かう空気流動が円滑になるという効果が奏される。
【００５２】
また、前記第１及び第２送風装置の仕切られた空間、または送風装置を支持するベースの内部空間にＰＣＢアセンブリが備えられるので、空間活用性が改善されるという利点がある。
【００５３】
また、送風装置の一側に空気流動を切り替える流動調節装置が備えられて空気を前方に向かって吐出できるので、空気清浄機から吐出された空気を遠い距離まで吐出できるという効果が奏される。
【００５４】
また、第１及び第２ギアアセンブリによって流動調節装置の動きがガイドされるので、前記流動調節装置の作動が円滑に行われるという利点がある。
【００５５】
また、空気清浄機の運転モードに応じて前記流動調節装置の位置が変更されるので、使用者は、空気清浄機のディスプレイ装置を確認しなくても、現在の空気清浄機の運転モードを直観的に確認できるという利点がある。
【図面の簡単な説明】
【００５６】
【図１】本発明の第１実施例に係る空気清浄機の外観を示す斜視図である。
【図２】本発明の第１実施例に係る空気清浄機の内部構成を示す斜視図である。
【図３】図２のＩＩＩ−ＩＩＩ’に沿って切断した断面図である。
【図４】本発明の第１実施例に係る第１送風装置の構成を示す分解斜視図である。
【図５】本発明の第１実施例に係る第１ファン及び第１ガイド装置の構成を示す分解斜視図である。
【図６】本発明の第１実施例に係るガイドリブの構成を示す斜視図である。
【図７】本発明の第１実施例に係る第１送風装置の一部の構成を示す断面図である。
【図８】本発明の第１実施例に係る仕切り装置及び前記第１送風装置の一部の構成を示す分解斜視図である。
【図９】本発明の第１実施例に係る第２送風装置の構成を示す分解斜視図である。
【図１０】本発明の第１実施例に係る第２送風装置の構成を示す断面図である。
【図１１】本発明の第１実施例に係る流動調節装置及び該流動調節装置が結合される部品の構成を示す分解斜視図である。
【図１２】本発明の第１実施例に係る流動調節装置の構成を示す斜視図である。
【図１３】本発明の第１実施例に係る第３エアガイド装置及び第２吐出ガイド装置の結合状態を示す図である。
【図１４】本発明の第１実施例に係る流動調節装置の構成を示す断面図である。
【図１５】本発明の第１実施例に係る流動調節装置の構成を示す分解斜視図である。
【図１６】本発明の第１実施例に係る流動調節装置の駆動部及び固定部の構成を示す分解斜視図である。
【図１７】本発明の第１実施例に係る流動調節装置に備えられる第２ラック及び第２ギアが連動する様子を示す図である。
【図１８】本発明の第１実施例に係る流動調節装置が第２位置にある様子を示す図である。
【図１９−２１】本発明の第１実施例に係る流動調節装置が第２位置にある様子を示す図である。
【図２２−２４】本発明の第１実施例に係る空気清浄機での空気流動の様子を示す図である。
【図２５−２６】本発明の第２実施例に係る空気清浄機の構成を示す図である。
【図２７−２８】本発明の第３実施例に係る空気清浄機の構成を示す図である。
【図２９−３０】本発明の第４実施例に係る空気清浄機の構成を示す図である。
【発明を実施するための形態】
【００５７】
以下、本発明の一部の実施例を例示的な図面を参照して詳細に説明する。各図面の構成要素に参照符号を付加するにおいて、同一の構成要素に対しては、たとえ他の図面上に表示されても、可能な限り同一の符号を有するようにしていることに留意しなければならない。また、本発明の実施例を説明するにあたって、かかる公知の構成又は機能についての具体的な説明が本発明の実施例に対する理解を妨げると判断される場合には、その詳細な説明は省略する。
【００５８】
また、本発明の実施例の構成要素を説明するにあたって、第１、第２、Ａ、Ｂ、（ａ）、（ｂ）などの用語を使用することができる。このような用語は、その構成要素を他の構成要素と区別するためのものに過ぎず、その用語によって当該構成要素の本質や順番又は順序などが限定されるものではない。ある構成要素が他の構成要素に「連結」、「結合」又は「接続」されると記載された場合、その構成要素は、その他の構成要素に直接的に連結又は接続されてもよいが、各構成要素の間にまた他の構成要素が「連結」、「結合」又は「接続」されてもよいと理解されるべきである。
【００５９】
図１は、本発明の第１実施例に係る空気清浄機の外観を示す斜視図である。
【００６０】
図１を参照すると、本発明の第１実施例に係る空気清浄機１０には、空気流動を発生させる送風装置１００，２００、及び前記送風装置１００，２００から発生した空気流動の吐出方向を調節する流動調節装置３００が含まれる。前記送風装置１００，２００には、第１空気流動を発生させる第１送風装置１００、及び第２空気流動を発生させる第２送風装置２００が含まれる。
【００６１】
前記第１送風装置１００と第２送風装置２００は上下方向に配列することができる。一例として、前記第２送風装置２００は、前記第１送風装置１００の上側に配置されてもよい。この場合、前記第１空気流動は、前記空気清浄機１０の下部側に存在する室内空気を吸い込む流動を形成し、前記第２空気流動は、前記空気清浄機１０の上部側に存在する室内空気を吸い込む流動を形成する。
【００６２】
前記空気清浄機１０には、外観を形成するケース１０１，２０１が含まれる。
【００６３】
詳しくは、前記ケース１０１，２０１には、前記第１送風装置１００の外観を形成する第１ケース１０１が含まれる。前記第１ケース１０１は円筒状を有することができる。そして、前記第１ケース１０１の上部は下部よりも小さい直径を有するように構成することができる。すなわち、前記第１ケース１０１は、先端部が切り取られた円錐形の形状を有することができる。
【００６４】
前記第１及び第２送風装置１００，２００は、清浄空間の空気を浄化させる機能を行う点から、それぞれ、「第１空気清浄モジュール１００」及び「第２空気清浄モジュール２００」と命名することができる。そして、前記第１送風装置１００は、前記空気清浄機１０の下部に配置される点から、「下部空気清浄モジュール」又は「下部モジュール」と命名することができ、前記第２送風装置２００は、前記空気清浄機１０の上部に配置される点から、「上部空気清浄モジュール」又は「上部モジュール」と命名することができる。そして、前記流動調節装置３００を流動調節モジュール３００と命名することができる。
【００６５】
前記第１ケース１０１には、前記第１ケース１０１を構成する２つのパートが結合又は分離される第１分離部１０１ａが含まれる。そして、前記第１ケース１０１には、前記第１分離部１０１ａの対向側に備えられるヒンジ部がさらに含まれる。前記２つのパートは、前記ヒンジ部を中心に相対回転することができる。
【００６６】
前記２つのパートのうちの少なくともいずれか一方のパートが回転すると、前記第１ケース１０１は開放され、前記空気清浄機１０から分離され得る。前記２つのパートが結合される部分、すなわち、前記ヒンジ部の対向側には、係止装置を備えることができる。前記係止装置には、係止突起又は磁石部材が含まれてもよい。前記第１ケース１０１を開放して、前記第１送風装置１００の内部部品を交換又は修理することができる。
【００６７】
前記第１ケース１０１には、空気が吸い込まれる第１吸込部１０２が形成される。前記第１吸込部１０２は、前記第１ケース１０１の少なくとも一部分が貫通して形成される貫通孔を含む。前記第１吸込部１０２は多数個形成される。
【００６８】
前記多数の第１吸込部１０２は、前記第１ケース１０１を基準にしてどの方向からも空気の吸い込みが可能なように、前記第１ケース１０１の外周面に沿って円周方向に均一に形成される。すなわち、前記第１ケース１０１の内部中心を通る上下方向の中心線を基準として、３６０°方向から空気を吸い込むことができる。
【００６９】
このように、前記第１ケース１０１が円筒状に構成され、前記第１吸込部１０２が前記第１ケース１０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００７０】
前記第１吸込部１０２を介して吸い込まれる空気は、前記第１ケース１０１の外周面から略半径方向に流動することができる。方向を定義する。図１を基準として、上下方向を軸方向といい、横方向を半径方向という。前記軸方向は、後述する第１ファン１６０及び第２ファン２６０の中心軸方向、すなわち、ファンのモータ軸方向に対応することができる。そして、前記半径方向は、前記軸方向の垂直な方向として理解することができる。
【００７１】
そして、円周方向とは、前記軸方向を中心とし、前記半径方向の距離を回転半径として回転するときに形成される仮想の円方向として理解される。
【００７２】
前記第１送風装置１００には、前記第１ケース１０１の下側に提供され、地面に載置されるベース２０がさらに含まれる。前記ベース２０は、前記第１ケース１０１の下端部から下方に離隔して位置する。そして、前記第１ケース１０１と前記ベース２０との間の離隔空間には、ベース吸込部１０３が形成される。
【００７３】
前記ベース吸込部１０３を介して吸い込まれる空気は、前記ベース２０の上側に備えられる吸込グリル１１０（図２参照）の吸込口１１２を介して上方に流動することができる。
【００７４】
すなわち、前記第１送風装置１００には複数の吸込部１０２，１０３が含まれる。室内空間の下部に存在する空気は、前記複数の吸込部１０２，１０３を介して前記第１送風装置１００に容易に流入することができる。したがって、空気の吸込量が増加することができる。
【００７５】
前記第１送風装置１００の上部には第１吐出部１０５が形成される。前記第１吐出部１０５は、前記第１送風装置１００に備えられる第１吐出ガイド装置１９０（図８参照）の第１吐出グリル１９５に形成され得る。前記第１吐出ガイド装置１９０は、前記第１送風装置１００の上端部の外観を形成する。前記第１吐出部１０５を介して排出される空気は、軸方向の上方に流動することができる。
【００７６】
前記ケース１０１，２０１には、前記第２送風装置２００の外観を形成する第２ケース２０１が含まれる。前記第２ケース２０１は円筒状を有することができる。そして、前記第２ケース２０１の上部は下部よりも小さい直径を有するように構成することができる。すなわち、前記第２ケース２０１は、先端部が切り取られた円錐形の形状を有することができる。
【００７７】
前記第２ケース２０１には、第２分離部２０１ａを通じて分離又は結合できる２つのパート及びヒンジ部が含まれる。前記第２ケース２０１は、前記第１ケース１０１と同様に開放可能に構成することができる。詳細な説明は、前記第１ケース１０１に関する説明を援用する。前記第２ケース２０１を開放して、前記第２送風装置２００の内部部品を交換又は修理することができる。
【００７８】
前記第２ケース２０１の下端部の直径は、前記第１ケース１０１の上端部の直径よりも小さく形成することができる。したがって、前記ケース１０１，２０１の全体的な形状の観点で、ケース１０１，２０１の下部断面積は上部断面積よりも大きく形成され、これによって、前記空気清浄機１０は地面に安定的に支持され得る。
【００７９】
前記第２ケース２０１には、空気が吸い込まれる第２吸込部２０２が形成される。前記第２吸込部２０２は、前記第２ケース２０１の少なくとも一部分が貫通して形成される貫通孔を含む。前記第２吸込部２０２は多数個形成される。
【００８０】
前記多数の第２吸込部２０２は、前記第２ケース２０１を基準にしてどの方向からも空気の吸い込みが可能なように、前記第２ケース２０１の外周面に沿って円周方向に均一に形成される。すなわち、前記第２ケース２０１の内部中心を通る上下方向の中心線を基準として、３６０°方向から空気を吸い込むことができる。
【００８１】
このように、前記第２ケース２０１が円筒状に構成され、前記第２吸込部２０２が前記第２ケース２０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００８２】
前記第２吸込部２０２を介して吸い込まれる空気は、前記第２ケース２０１の外周面から略半径方向に流動することができる。
【００８３】
前記空気清浄機１０には、前記第１送風装置１００と前記第２送風装置２００との間に備えられる仕切り装置４００が含まれる。前記仕切り装置４００によって、前記第２送風装置２００は、前記第１送風装置１００の上側に離隔して位置することができる。前記仕切り装置４００に関連する説明は、図面を参照して後述する。
【００８４】
前記流動調節装置３００は、前記第２送風装置２００の上側に設置することができる。空気流動を基準として、前記第２送風装置２００の空気流路は、前記流動調節装置３００の空気流路に連通することができる。前記第２送風装置２００を通過した空気は、前記流動調節装置３００の空気流路を経由し、第２吐出部３０５を介して外部に排出され得る。前記第２吐出部３０５は、前記流動調節装置３００の上端部に形成される。
【００８５】
前記流動調節装置３００は動き可能に備えることができる。詳細には、前記流動調節装置３００は、図１に示されるように、横になっている状態（第１位置）にあるか、または図１９乃至図２１に示されるように、傾斜して立てられた状態（第２位置）にあってもよい。これに関連する説明は後述する。
【００８６】
図２は、本発明の第１実施例に係る空気清浄機の内部構成を示す斜視図であり、図３は、図２のＩＩＩ−ＩＩＩ’に沿って切断した断面図であり、図４は、本発明の第１実施例に係る第１送風装置の構成を示す分解斜視図であり、図５は、本発明の第１実施例に係る第１ファン及び第１ガイド装置の構成を示す分解斜視図であり、図６は、本発明の第１実施例に係るガイドリブの構成を示す斜視図であり、図７は、本発明の第１実施例に係る第１送風装置の一部の構成を示す断面図である。
【００８７】
図２乃至図４を参照すると、本発明の第１実施例に係る第１送風装置１００には、ベース２０、及び前記ベース２０の上側に配置される吸込グリル１１０が含まれる。
【００８８】
前記ベース２０には、地面に載置されるベース本体２１、及び前記ベース本体２１から上方に突出して前記吸込グリル１１０が載置されるベース突出部２２が含まれる。
【００８９】
前記ベース突出部２２によって、前記ベース本体２１と前記吸込グリル１１０は互いに離隔する。前記ベース２０と前記吸込グリル１１０との間には、空気の吸込空間を形成するベース吸込部１０３が含まれる。
【００９０】
前記吸込グリル１１０には、略リング状のグリル本体１１１、及び前記グリル本体１１１の周縁部に形成される吸込口１１２が含まれる。前記吸込口１１２は、前記周縁部に沿って離隔して多数個備えられてもよい。そして、前記多数個の吸込口１１２は前記ベース吸込部１０３に連通することができる。
【００９１】
前記吸込口１１２及び前記ベース吸込部１０３を介して吸い込まれた空気は、第１フィルター部材１２０を通過することができる。すなわち、空気は、円筒状の第１フィルター部材１２０の外周面を貫通してその内部に流入することができる。すなわち、前記第１フィルター部材１２０は、円筒状に備えられて空気をろ過するフィルター面を有することができる。
【００９２】
前記吸込グリル１１０には、前記グリル本体１１１の上面を形成し、レバー装置１４２を支持するレバー支持部１１３、及び前記グリル本体１１１の外周面から内側半径方向に凹んで形成される溝部１１４がさらに含まれる。前記溝部１１４は、後述するハンドル１４４が移動できる空間を提供することができる。
【００９３】
前記第１送風装置１００には、前記吸込グリル１１０の上側に備えられ、使用者が操作可能なレバー装置１４２が備えられる。
【００９４】
前記レバー装置１４２には、略リング状を有し、回転可能に備えられるレバー本体１４３が含まれる。
【００９５】
前記レバー本体１４３には、前記レバー本体１４３の周縁部に備えられるレバー突出部１４５が含まれる。前記レバー突出部１４５は、前記レバー本体１４３の周縁部の上面から上方に突出し、互いに離隔して多数個備えることができる。前記多数のレバー突出部１４５は、後述する支持装置１４０を上方又は下方に移動させるために、傾斜面を有する構成として理解される。
【００９６】
前記レバー本体１４３の外周面にはハンドル１４４が備えられる。使用者は、前記ハンドル１４４を把持して前記レバー本体１４３を時計方向又は反時計方向に回転させることができる。
【００９７】
前記レバー装置１４２の上側には、第１フィルター部材１２０を支持する支持装置１４０が提供される。前記レバー装置１４２は、前記支持装置１４０の下面を支持する。前記支持装置１４０には、前記レバー突出部１４５と接触する支持突出部（図示せず）を備えることができる。前記支持突出部は、前記支持装置１４０の下面から下方に突出し、前記レバー突出部１４５に対応する数で多数個備えることができる。そして、前記支持突出部には傾斜面が含まれる。
【００９８】
前記レバー本体１４３が回転する過程で、前記レバー突出部１４５は前記レバー本体１４３と共に回転することができる。このとき、前記レバー突出部１４５の上部が前記支持突出部の下部に当接すると、前記レバー本体１４３は前記支持装置１４０を上方に押し上げることになる。前記支持装置１４０が上方に移動すると、前記第１フィルター部材１２０は前記第１送風装置１００に結合された状態となる。
【００９９】
反面、前記レバー突出部１４５の下部が前記支持突出部の上部に当接すると、前記支持装置１４０は下方に下降する。そして、前記支持装置１４０が下方に下降すると、前記第１フィルター部材１２０は、前記第１送風装置１００から分離可能な状態（解除状態）となる。
【０１００】
前記第１送風装置１００には、前記第１フィルター部材１２０の装着空間を形成する第１フィルターフレーム１３０がさらに含まれる。詳細には、前記第１フィルターフレーム１３０には、前記第１フィルターフレーム１３０の下部を形成する第１フレーム１３１、及び前記第１フィルターフレーム１３０の上部を形成する第２フレーム１３２が含まれる。
【０１０１】
前記第１フレーム１３１は、概ね一部分が切開されたリング状を有する。前記第１フレーム１３１のリング状の内部空間は、前記第１フィルターフレーム１３０を通過する空気流路の少なくとも一部分を形成する。
【０１０２】
前記第１フレーム１３１の内周面側には、前記レバー装置１４２及び支持装置１４０が位置し得る。前記支持装置１４０の上面には、前記第１フィルター部材１２０が置かれる載置面が含まれる。そして、前記第１フレーム１３１の切開された一部の空間には、前記レバー装置１４２のハンドル１４４が操作されることを許容するハンドル空間部１３１ａが定義される。前記ハンドル１４４は、前記ハンドル空間部１３１ａに位置し、時計方向又は反時計方向に操作可能である。
【０１０３】
前記第２フレーム１３２は、前記第１フレーム１３１から上方に離隔して位置する。前記第２フレーム１３２は略リング状を有する。前記第２フレーム１３２のリング状の内部空間は、前記第１フィルターフレーム１３０を通過する空気流路の少なくとも一部分を形成する。そして、前記第２フレーム１３２の上部は、後述する第１ファンハウジング１５０を支持することができる。
【０１０４】
前記第１フィルターフレーム１３０には、前記第１フレーム１３１から前記第２フレーム１３２に向かって上方に延びる第１フィルター支持部１３５がさらに含まれる。前記第１フィルター支持部１３５によって、前記第１及び第２フレーム１３１，１３２は互いに離隔し得る。前記第１フィルター支持部１３５は多数個提供され、前記多数個の第１フィルター支持部１３５は、円周方向に配列されて前記第１及び第２フレーム１３１，１３２の周縁部に連結され得る。
【０１０５】
前記第１及び第２フレーム１３１，１３２及び前記多数の第１フィルター支持部１３５によって、前記第１フィルター部材１２０の装着空間が規定される。
【０１０６】
前記装着空間には、前記第１フィルター部材１２０を分離可能に装着することができる。前記第１フィルター部材１２０は円筒状の形状を有し、前記第１フィルター部材１２０の外周面を介して空気が流入することができる。前記第１フィルター部材１２０を通過する過程で、空気中の微細塵埃のような不純物がろ過され得る。
【０１０７】
前記第１フィルター部材１２０が円筒状の形状を有することによって、前記第１フィルター部材１２０を基準として、どの方向からも空気の流入が可能である。したがって、空気のフィルタリング面積が増加し得る。
【０１０８】
前記装着空間は、前記第１フィルター部材１２０の形状に対応して円筒状に備えることができる。前記第１フィルター部材１２０は、装着過程で、前記装着空間に向かってスライド可能に引き込まれ得る。反対に、前記第１フィルター部材１２０は、分離過程で、前記装着空間からスライド可能に引き出され得る。
【０１０９】
言い換えれば、前記第１フィルター部材１２０が前記支持装置１４０の上面に載置された状態でハンドル１４４が操作されると、前記第１フィルター部材１２０は、下方に移動しながら解除位置にあることになる。そして、前記第１フィルター部材１２０は、半径方向外側にスライドされて、前記装着空間から分離され得る。
【０１１０】
反面、前記第１フィルター部材１２０は、前記装着空間から分離された状態で、前記装着空間に向かって半径方向内側にスライドされて前記支持装置１４０の上面に支持され、前記ハンドル１４４の操作によって上方に密着し得る。このとき、前記第１フィルター部材１２０は結合位置にあることになる。
【０１１１】
一方、前記第１フィルター支持部１３５の外側には第１支持部カバー１３６を結合することができる。
【０１１２】
前記第１送風装置１００には、前記第１フィルター部材１２０の出口側に設置される第１ファンハウジング１５０がさらに含まれる。前記第１ファンハウジング１５０には第１ファン１６０が収容される。そして、前記第１ファンハウジング１５０は前記第１フィルターフレーム１３０によって支持され得る。
【０１１３】
前記第１ファンハウジング１５０の下部には、前記第１ファンハウジング１５０の内部に空気の流入をガイドする第１ファン流入部１５１が含まれる。前記第１ファン流入部１５１にはグリルが提供されることで、前記第１フィルター部材１２０が分離されたとき、使用者が前記第１ファンハウジング１５０の内部に指などを入れることを防止することができる。
【０１１４】
前記第１ファン１６０は、前記第１ファン流入部１５１の上側に載置される。一例として、前記第１ファン１６０には、軸方向に空気を流入して半径方向上側に空気を排出させる遠心ファンが含まれる。
【０１１５】
詳細には、前記第１ファン１６０には、遠心ファンモータである第１ファンモータ１６５の回転軸１６５ａが結合されるハブ１６１、前記ハブ１６１と離隔して配置されるシュラウド１６２、及び前記ハブ１６１と前記シュラウド１６２との間に配置される多数のブレード１６３が含まれる。前記第１ファンモータ１６５は前記第１ファン１６０の上側に結合され得る。
【０１１６】
前記ハブ１６１は、下方に行くほど直径が小さくなるボウル（ｂｏｗｌ）形状を有することができる。そして、前記ハブ１６１には、前記回転軸１６５ａが結合される軸結合部、及び前記軸結合部から上方に向かって傾斜して延びる第１ブレード結合部が含まれる。
【０１１７】
前記シュラウド１６２には、前記第１ファン流入部１５１を通過した空気が吸い込まれるシュラウド吸込口１６２ａが形成される下端部、及び前記下端部から上方に向かって延びる第２ブレード結合部が含まれる。
【０１１８】
前記ブレード１６３の一面は前記ハブ１６１の第１ブレード結合部に結合され、他面は前記シュラウド１６２の第２ブレード結合部に結合され得る。そして、前記多数のブレード１６３は、前記ハブ１６１の円周方向に離隔して配置され得る。
【０１１９】
前記ブレード１６３には、空気が流入する側端部を形成するリーディングエッジ１６３ａ、及び空気が流出される側端部を形成するトレーリングエッジ１６３ｂが含まれる。
【０１２０】
前記第１フィルター部材１２０を通過した空気は、上方に流動しながら前記第１ファン流入部１５１を介して前記第１ファンハウジング１５０に流入する。そして、空気は、前記第１ファン１６０の軸方向に流動して前記リーディングエッジ１６３ａに流入し、前記ブレード１６３を経て前記トレーリングエッジ１６３ｂに流出される。
【０１２１】
このとき、前記トレーリングエッジ１６３ｂを介して流出される空気が半径方向上側に流動できるように、前記トレーリングエッジ１６３ｂは、前記空気の流動方向に対応して軸方向に対して外側上方に傾斜して延びることができる。
【０１２２】
図５を参照すると、前記第１送風装置１００には、前記第１ファン１６０の上側に結合されて前記第１ファン１６０を通過した空気の流動をガイドする第１エアガイド装置１７０がさらに含まれる。
【０１２３】
前記第１エアガイド装置１７０には、円筒状の形状を有する外壁１７１、及び前記外壁１７１の内側に位置し、円筒状の形状を有する内壁１７２が含まれる。前記外壁１７１は、前記内壁１７２を取り囲むように配置される。前記外壁１７１の内周面と、前記内壁１７２の外周面との間には、空気が流動する第１空気流路１７２ａが形成される。
【０１２４】
前記第１エアガイド装置１７０には、前記第１空気流路１７２ａに配置されるガイドリブ１７５が含まれる。前記ガイドリブ１７５は、前記内壁１７２の外周面から前記外壁１７１の内周面に延びる。前記ガイドリブ１７５は、多数個が離隔して配置されてもよい。前記多数のガイドリブ１７５は、前記第１ファン１６０を経て前記第１エアガイド装置１７０の第１空気流路１７２ａに流入した空気を上方に案内する機能を行う。
【０１２５】
前記ガイドリブ１７５は、前記外壁１７１及び内壁１７２の下部から上方に向かって傾斜して延びることができる。一例として、前記ガイドリブ１７５は、ラウンド状に形成されて、空気が上方に傾斜して流動できるようにガイドする。
【０１２６】
詳細には、図６を参照すると、前記ガイドリブ１７５には、上方に向かってラウンド状に延びるリブ本体１７５ａが含まれる。前記リブ本体１７５ａには、空気が流動してくる方向の面を形成する正圧面１７５ｂ、及び前記正圧面１７５ｂの反対面を形成する負圧面１７５ｃが含まれる。前記正圧面１７５ｂは凹状に形成され、前記負圧面１７５ｃは凸状に形成される。
【０１２７】
そして、前記リブ本体１７５ａには、空気が流入する側端部を形成するリーディングエッジ１７５ｄ、及び空気が排出される側端部を形成するトレーリングエッジ１７５ｅが含まれる。
【０１２８】
前記リーディングエッジ１７５ｄは、前記正圧面１７５ｂから前記負圧面１７５ｃに向かってラウンド状に折れ曲がるように形成される。このような構成によって、前記リーディングエッジ１７５ｄを介して流入する空気中の一部の空気は前記正圧面１７５ｂにガイドされ、残りの空気は負圧面１７５ｃにガイドされ得る。前記負圧面１７５ｃに流動する空気は多数の突出部１７５ｆを通過する。
【０１２９】
前記多数の突出部１７５ｆは、前記負圧面１７５ｃから突出し、前記リーディングエッジ１７５ｄから前記トレーリングエッジ１７５ｅに向かって延びることができる。前記突出部１７５ｆは、前記リーディングエッジ１７５ｄから前記トレーリングエッジ１７５ｅに行くほど突出する高さが低くなるエアフォイル（ａｉｒｆｏｉｌ）形状を有する。
【０１３０】
前記多数の突出部１７５ｆが前記負圧面１７５ｃに形成される構成によって、前記負圧面１７５ｃで渦流が発生することが防止され、空気は上方に向かって容易に流動し得る。
【０１３１】
一方、前記トレーリングエッジ１７５ｅは、半径方向に山と谷が繰り返される鋸歯形状を有することができる。このような構成によって、前記トレーリングエッジ１７５ｅから流出される空気、すなわち、前記山と谷から空気が流出される時間差が発生するようになり、騒音の発生が低減される効果が奏される。
【０１３２】
前記第１エアガイド装置１７０には、前記内壁１７２から下方に延びて前記第１ファンモータ１６５を収容するモータ収容部１７３がさらに含まれる。前記モータ収容部１７３は、下部に行くほど直径が小さくなるボウル（ｂｏｗｌ）形状を有することができる。前記第１ファンモータ１６５の一側にはモータ結合部１６６が備えられ、前記モータ結合部１６６は、前記第１ファンモータ１６５を前記第１エアガイド装置１７０に固定されるようにガイドする。
【０１３３】
前記モータ収容部１７３の形状は、前記ハブ１６１の形状に対応することができる。そして、前記モータ収容部１７３は前記ハブ１６１の内側に挿入され得る。
【０１３４】
前記第１ファンモータ１６５は、前記モータ収容部１７３の上側に支持され得る。そして、前記第１ファンモータ１６５の回転軸１６５ａは、前記第１ファンモータ１６５から下方に延び、前記モータ収容部１７３の底面部を貫通して前記ハブ１６１の軸結合部１６１ａに結合され得る。
【０１３５】
図８は、本発明の第１実施例に係る仕切り装置及び前記第１送風装置の一部の構成を示す分解斜視図である。
【０１３６】
図２、図３及び図８を参照すると、本発明の第１実施例に係る第１送風装置１００には、前記第１エアガイド装置１７０の上側に結合され、前記第１エアガイド装置１７０を通過した空気を第１吐出ガイド装置１９０にガイドする第２エアガイド装置１８０がさらに含まれる。
【０１３７】
前記第２エアガイド装置１８０には、略円筒状の形状を有する第１ガイド壁１８１、及び前記第１ガイド壁１８１の内側に位置し、略円筒状の形状を有する第２ガイド壁１８２が含まれる。前記第１ガイド壁１８１は、前記第２ガイド壁１８２を取り囲むように配置することができる。
【０１３８】
前記第１ガイド壁１８１の内周面と前記第２ガイド壁１８２の外周面との間には、空気が流動する第２空気流路１８５が形成される。前記第１エアガイド装置１７０の第１空気流路１７２ａを流動する空気は、前記第２空気流路１８５を経て通過して上方に流動する。
【０１３９】
前記第２ガイド壁１８２の下部には、前記第１エアガイド装置１７０と結合される締結ガイド１８３が備えられる。前記締結ガイド１８３は前記第２ガイド壁１８２の下側に延びることができる。
【０１４０】
前記締結ガイド１８３には所定の締結部材が結合され、前記締結部材は、前記第１エアガイド装置１７０の締結リブ１７８に結合され得る。前記締結リブ１７８は、前記モータ収容部１７３の上面から上方に突出するように備えることができる。そして、前記締結ガイド１８３及び前記締結リブ１７８は複数個備えることができる。
【０１４１】
前記第２エアガイド装置１８０には、前記第１ガイド壁１８１の内周面から前記第２ガイド壁１８２の外周面に延びて、後述するレッグ４１０を支持するレッグ支持部１８７がさらに含まれる。前記レッグ支持部１８７は、前記レッグ４１０の下面を支持する上面を含む。そして、前記レッグ支持部１８７は多数個備えることができる。
【０１４２】
円筒状の形状を有する第２ガイド壁１８２の内側には、ＰＣＢ装置５００の少なくとも一部分が収容される第１空間部１８４が形成される。前記ＰＣＢ装置５００におけるＰＣＢ駆動部５２０の少なくとも一部分は前記第１空間部１８４に位置し得る。
【０１４３】
前記第１送風装置１００には、前記第２エアガイド装置１８０の上側、すなわち、空気流路を基準として、空気流動の出口側に配置され、空気清浄機１０の外部への空気の吐出をガイドする第１吐出ガイド装置１９０がさらに含まれる。
【０１４４】
前記第１吐出ガイド装置１９０には、略中央部に第２空間部１９４を形成する第１吐出本体１９１が含まれる。一例として、前記第１吐出本体１９１は環状の形状を有することができる。
【０１４５】
前記第２空間部１９４には、ＰＣＢ装置５００の少なくとも一部分が収容され得る。一例として、前記ＰＣＢ装置５００におけるＰＣＢ駆動部５２０の少なくとも一部分は前記第２空間部１９４に位置し得る。前記第２空間部１９４は、前記第１空間部１８４の上側に形成され、前記第１空間部１８４と共に、前記ＰＣＢ装置５００が設置される設置空間部を形成する。
【０１４６】
前記第１吐出本体１９１には第１吐出グリル１９５が含まれる。前記第１吐出グリル１９５は多数個備えられ、前記多数個の第１吐出グリル１９５の間には、空気が外部に吐出され得る第１吐出部１０５を形成する。前記多数個の第１吐出グリル１９５は前記第２空気流路１８５の上側に配置され、前記第２空気流路１８５を通過した空気は、前記第１吐出グリル１９５側に流動し、前記第１吐出部１０５を介して排出され得る。
【０１４７】
前記第１吐出本体１９１には、前記レッグ４１０に挿入されるレッグ挿入部１９６が含まれる。前記レッグ挿入部１９６は、多数の第１吐出グリル１９５のいずれか１つの第１吐出グリル１９５と、他の１つの第１吐出グリル１９５との間に形成することができる。前記レッグ挿入部１９６は、前記レッグ４１０の数に対応して多数個備えることができる。前記レッグ４１０は、前記レッグ挿入部１９６に挿入されて下方に延び、前記レッグ支持部１８７に載置され得る。
【０１４８】
前記第１吐出ガイド装置１９０の上側にはＰＣＢ装置５００が設置される。前記ＰＣＢ装置５００には、メインＰＣＢ５１０、及び前記メインＰＣＢ５１０の駆動のために電源を供給するＰＣＢ駆動部５２０が含まれる。前記メインＰＣＢ５１０と前記ＰＣＢ駆動部５２０は配線によって電気的に接続することができる。そして、前記メインＰＣＢ５１０は、前記ＰＣＢ駆動部５２０の上側に位置し得る。
【０１４９】
前記ＰＣＢ装置５００には、前記ＰＣＢ駆動部５２０を保護するためのケース組立体５３１，５３３，５３５がさらに含まれる。前記ケース組立体５３１，５３３，５３５には、前記ＰＣＢ駆動部５２０が装着される第１ケース５３１、前記ＰＣＢ駆動部５２０の上側をカバーする第２ケース５３５、及び前記ＰＣＢ駆動部５２０と前記第２ケース５３５との間に設置される絶縁部材５３３が含まれる。
【０１５０】
前記第１ケース５３１及び第２ケース５３５は、前記ＰＣＢ駆動部５２０を保護し、ＰＣＢ駆動部５２０から発生する熱によって、前記空気清浄機１０の内部に備えられる他の部品に火災が発生することを防止するために、不燃性素材で構成することができる。一例として、前記第１ケース５３１又は前記第２ケース５３５はスチール素材で構成されてもよい。
【０１５１】
前記絶縁部材５３３は前記ＰＣＢ駆動部５２０の上面に設けられる。前記絶縁部材５３３は、前記ＰＣＢ駆動部５２０を保護し、前記ＰＣＢ駆動部５２０から漏洩する電流が他の部品に伝達されることを防止する機能、すなわち、絶縁機能を行うことができる。一例として、前記絶縁部材５３３はＡＢＳ樹脂（ａｃｒｙｌｏｎｉｔｒｉｌｅ−ｂｕｔａｄｉｅｎｅ−ｓｔｙｒｅｎｅ  ｃｏｐｏｌｙｍｅｒ）で構成されてもよい。
【０１５２】
前記ＰＣＢ装置５００には、前記第２ケース５３５の上側に備えられるＰＣＢカバー５４０がさらに含まれる。前記ＰＣＢカバー５４０は、前記第２空間部１９４の上側をカバーして、前記第１及び第２空間部１８４，１９４と前記第１吐出部１０５とが互いに連通することを遮断することができる。したがって、前記第１吐出部１０５から排出される空気は、前記ＰＣＢカバー５４０によって、前記第１及び第２空間部１８４，１９４に流入することを防止することができる。
【０１５３】
前記ＰＣＢカバー５４０には、キャップ（ｃａｐ）形状のカバー本体５４１が含まれる。前記キャップ形状によって、前記カバー本体５４１は、前記第１及び第２空間部１８４，１９４の上側空間を容易に遮蔽することができる。
【０１５４】
前記カバー本体５４１には、前記空気清浄機１０の内部に備えられる配線又はハーネス（ｈａｒｎｅｓｓ）が通過する第１貫通孔５４４が形成される。前記第１貫通孔５４４は、前記カバー本体５４１の上面部の略中央部に形成することができる。
【０１５５】
前記ハーネスは、配線の束として理解される。前記配線又はハーネスには、前記メインＰＣＢ５１０とＰＣＢ駆動部５２０を接続する配線、またはファンモータとディスプレイ装置などの電気的接続を必要とする部品を接続するための配線が含まれてもよい。
【０１５６】
前記カバー本体５４１の外周面には第１レッグ溝５４６が形成される。前記第１レッグ溝５４６は、前記カバー本体５４１の外周面から凹む形状を有し、前記レッグ４１０の少なくとも一部分が挿入されるように構成することができる。前記第１レッグ溝５４６は、前記レッグ４１０の数に対応して多数個備えることができる。
【０１５７】
前記ＰＣＢ装置５００には、前記ＰＣＢカバー５４０の上側に設けられ、前記メインＰＣＢ５１０が結合されるＰＣＢ支持部５５０がさらに含まれる。前記ＰＣＢ支持部５５０は、略円盤形状を有し、下部に行くほど断面積が狭くなるように構成することができる。前記メインＰＣＢ５１０は前記ＰＣＢ支持部５５０の上面に支持され得る。
【０１５８】
前記ＰＣＢ支持部５５０の上面には、前記ＰＣＢ支持部５５０を固定するための固定突起５５５が含まれる。前記固定突起５５５には、所定の締結部材が結合されてもよい。前記締結部材は、前記メインＰＣＢ５１０と前記固定突起５５５を結合させる。
【０１５９】
前記ＰＣＢ支持部５５０の略中央部には、前記第１貫通孔５４４に連通し、前記配線又はハーネスが通過する第２貫通孔５５４が形成される。前記ＰＣＢ支持部５５０と前記ＰＣＢカバー５４０が結合されると、前記第２貫通孔５５４と前記第１貫通孔５４４は上下方向に整列し得る。前記配線又はハーネスは、前記整列された第１及び第２貫通孔５４４，５５４を通過することができる。
【０１６０】
前記ＰＣＢ支持部５５０の周縁部には、前記レッグ４１０の少なくとも一部分が挿入され得る第２レッグ溝５５６が形成される。前記レッグ４１０は、前記第１及び第２レッグ溝５４６，５５６を介して前記ＰＣＢカバー５４０及び前記ＰＣＢ支持部５５０に結合され、前記第１吐出ガイド装置１９０のレッグ挿入部１９６を貫通し、前記第２エアガイド装置１８０のレッグ支持部１８７によって支持され得る。
【０１６１】
前記ＰＣＢ装置５００には、前記レッグ４１０の上側に結合され、第２送風装置２００のレバー装置２４２を支持するレバー支持装置５６０がさらに含まれる。前記レバー支持装置５６０は略環状の形状を有する。前記レバー支持装置５６０には、前記ＰＣＢ支持部５５０及び前記メインＰＣＢ５１０が位置し得る設置空間を定義する第３空間部５６４が含まれる。前記第３空間部５６４は、前記レバー支持装置５６０の略中央部に形成される。
【０１６２】
前記レバー支持装置５６０には、前記レッグ４１０の上部に結合されるレッグ結合部５６２がさらに含まれる。前記レッグ結合部５６２は、前記レバー支持装置５６０の周縁部に備えられ、前記レッグ４１０の数に対応して多数個備えることができる。すなわち、前記レッグ４１０の上端部は前記レッグ結合部５６２に結合され、その下端部は前記第２エアガイド装置１８０のレッグ支持部１８７によって支持され得る。
【０１６３】
前記レバー支持装置５６０には、前記第１吐出部１０５を介して排出された空気が前記第２送風装置２００に流入することを遮断する遮断部５６１がさらに含まれる。前記遮断部５６１は、環状の形状を有するレバー支持装置５６０の本体部分として理解できる。
【０１６４】
前記第１送風装置１００と前記第２送風装置２００との間には仕切り装置４００が備えられる。前記仕切り装置４００には、前記第１及び第２送風装置１００，２００を離隔させるためのレッグ４１０が含まれる。
【０１６５】
前記レッグ４１０によって、前記第１及び第２送風装置１００，２００の間の離隔空間が定義され得る。前記レッグ４１０は、円周方向に離隔して多数個備えることができる。そして、前記レッグ４１０は、前記離隔空間の下部から上部に向かって、すなわち、軸方向に延びることができる。
【０１６６】
前記離隔空間を介して、前記第１送風装置１００から吐出される空気、すなわち、前記第１吐出ガイド装置１９０の第１吐出部１０５から吐出される空気が容易に流動し得る。
【０１６７】
前記仕切り装置４００には、前記多数のレッグ４１０の間に設置され、半径方向、すなわち、横方向に延びる遮断壁４３０がさらに含まれる。前記遮断壁４３０によって、前記離隔空間は上部空間と下部空間とに仕切ることができる。
【０１６８】
前記第１吐出部１０５から排出される空気は、前記遮断壁４３０の下側の下部空間を経由して、前記空気清浄機１０の外部に排出され得る。前記遮断壁４３０によって、前記第１吐出部１０５から排出される空気が前記第２送風装置２００側に流入することを防止することができる。
【０１６９】
前記ＰＣＢ装置５００は、前記仕切り装置４００によって仕切られる離隔空間に配置できるので、前記仕切り装置４００の一つの構成として理解することもできる。
【０１７０】
図９及び図１０は、本発明の第１実施例に係る第２送風装置の構成を示す分解斜視図であり、図１１は、本発明の第１実施例に係る第２送風装置の構成を示す断面図である。
【０１７１】
図２、図３、及び図９乃至図１１を共に参照すると、本発明の第１実施例に係る第２送風装置２００には、支持装置２４０、レバー装置２４２、第２フィルター部材２２０、第２フィルターフレーム２３０、第２ファンハウジング２５０、及び第２ファン２６０が含まれる。これらの構成は、第１送風装置１００に備えられる部品と類似している。以下では、簡単に説明し、同一の部分に対しては第１実施例の説明を援用できることを予め明らかにしておく。
【０１７２】
前記支持装置２４０は、前記レバー装置２４２に備えられるハンドルの操作によって上方又は下方に移動可能に備えられ、前記第２フィルター部材２２０を支持する。前記支持装置２４０が上方に移動すると、前記第２フィルター部材２２０は前記第２送風装置２００に結合された状態となる。反面、前記支持装置２４０が下方に移動すると、前記第２フィルター部材２２０は前記第２送風装置２００から分離可能な状態、すなわち、解除状態となる。
【０１７３】
第１送風装置１００のレバー装置１４２及び支持装置１４０で説明したように、前記レバー装置２４２にはレバー突出部が備えられ、前記支持装置２４０には支持突出部が備えられる。前記レバー突出部と前記支持突出部が相互作用することで、前記支持装置２４０は上方又は下方に移動できる。詳細な説明は、第１送風装置１００に関する説明を援用する。
【０１７４】
前記第２フィルター部材２２０は円筒状に備えられる。前記第２ケース２０１の第２吸込部２０２を介して吸い込まれた空気は、前記第２フィルター部材２２０の外周面を通過して前記第２フィルター部材２２０の内側に流動し得る。すなわち、前記第２フィルター部材２２０は、円筒状に備えられて空気をろ過するフィルター面を有することができる。
【０１７５】
前記第２フィルターフレーム２３０には、前記第２フィルターフレーム２３０の下部を形成し、ハンドル空間部２３１ａを形成する第１フレーム２３１、前記第２フィルターフレーム２３０の上部を形成する第２フレーム２３２、前記第１フレーム２３１から前記第２フレーム２３２に向かって上方に延びる第２フィルター支持部２３５、及び前記第２フィルター支持部２３５をカバーする第２支持部カバー２３６が含まれる。前記第２フィルター部材２２０及び前記第２フィルターフレーム２３０に関する説明は、第１送風装置１００の第１フィルター部材１２０及び第１フィルターフレーム１３０に関する説明を援用する。
【０１７６】
前記第２送風装置２００には、センサ装置２９０がさらに含まれる。前記センサ装置２９０には、空気中の塵埃の量を感知する塵埃センサ２９１ａ、及び空気中のガスの量を感知するガスセンサ２９１ｂが含まれ得る。そして、前記センサ装置２９０には、センサ２９１ａ，２９１ｂの少なくとも一側をカバーできるセンサカバー２９５がさらに含まれる。一例として、前記センサ２９１ａ，２９１ｂは、前記第２フィルターフレーム２３０の第２フレーム２３２に支持されるように配置することができる。
【０１７７】
前記第２ファンハウジング２５０には、第２ファン２６０が収容される第２ファン収容部２５２が含まれる。前記第２ファンハウジング２５０には、前記第２ファンハウジング２５０の下部に備えられ、前記第２ファンハウジング２５０の内部に空気の流入をガイドする第２ファン流入部２５１が含まれる。
【０１７８】
前記第２ファン２６０には、遠心ファンモータである第２ファンモータ２６５の回転軸２６５ａが結合されるハブ２６１、前記ハブ２６１と離隔して配置されるシュラウド２６２、及び前記ハブ２６１と前記シュラウド２６２との間に配置される多数のブレード２６３が含まれる。前記第２ファンハウジング２５０及び前記第２ファン２６０に関する説明は、第１送風装置１００の第１ファンハウジング１５０及び第１ファン１６０に関する説明を援用する。
【０１７９】
前記第２送風装置２００には、空気中の臭い粒子を除去又は殺菌するためのイオナイザ２５８がさらに含まれる。前記イオナイザ２５８は、前記第２ファンハウジング２５０に結合され、前記第２ファンハウジング２５０の内部を流動する空気に作用することができる。
【０１８０】
本実施例では、前記センサ装置２９０及び前記イオナイザ２５８が前記第２送風装置２００にのみ備えられるものとして説明されるが、これとは異なり、前記第１送風装置にもセンサ装置及びイオナイザが設置されてもよい。一例として、センサ装置は第１送風装置の第１フィルターフレーム１３０に設置され、イオナイザは第１送風装置の第１ファンハウジング１５０に設置されてもよい。
【０１８１】
前記第２送風装置２００には、前記第２ファン２６０の上側に結合されて、前記第２ファン２６０を通過した空気の流動をガイドする第３エアガイド装置２７０がさらに含まれる。
【０１８２】
前記第３エアガイド装置２７０には、円筒状の形状を有する外壁２７１、及び前記外壁２７１の内側に位置し、円筒状の形状を有する内壁２７２が含まれる。前記外壁２７１の内周面と、前記内壁２７２の外周面との間には、空気が流動する第１空気流路２７２ａが形成される。
【０１８３】
そして、前記第３エアガイド装置２７０には、前記第１空気流路２７２ａに配置されるガイドリブ２７５が含まれる。前記ガイドリブ２７５は、前記内壁２７２の外周面から前記外壁２７１の内周面に延びる。
【０１８４】
前記第３エアガイド装置２７０には、前記内壁２７２から下方に延びて第２ファンモータ２６５を収容するモータ収容部２７３がさらに含まれる。前記モータ収容部２７３は、下部に行くほど直径が小さくなるボウル（ｂｏｗｌ）形状を有することができる。
【０１８５】
前記第２ファンモータ２６５は、前記第２ファン２６０の上側に結合されて前記第２ファン２６０に駆動力を提供する。そして、前記第２ファンモータ２６５の一側にはモータ結合部２６６が備えられ、前記モータ結合部２６６は、前記第２ファンモータ２６５を前記第３エアガイド装置２７０に固定されるようにガイドする。
【０１８６】
前記第３エアガイド装置２７０の構成のうち、前記外壁２７１、内壁２７２、ガイドリブ２７５及びモータ収容部２７３に関する説明は、第１エアガイド装置１７０の対応する構成に関する説明を援用する。そして、前記第２ファンモータ２６５及びモータ結合部２６６に関する説明は、第１ファンモータ１６５及びモータ結合部１６６に関する説明を援用する。
【０１８７】
前記第３エアガイド装置２７０には、前記流動調節装置３００の動きをガイドするためのガイド装置２７６，２７７が含まれる。
【０１８８】
前記ガイド装置２７６，２７７には、前記モータ収容部２７３に備えられる第１ラック２７６及び軸ガイド溝２７７が含まれる。
【０１８９】
前記第１ラック２７６は、前記流動調節装置３００の第１ギア３６０に連動する構成として理解される。前記第１ラック２７６は、前記モータ収容部２７３の内周面に備え、設定された曲率に応じて円周方向に備えることができる。そして、前記第１ラック２７６の長さは、前記第１ギア３６０に連動する距離に基づいて設定された長さに形成することができる。
【０１９０】
前記流動調節装置３００は左右方向、すなわち、時計方向又は反時計方向に回転することができる。この過程で、前記第１ギア３６０は、前記流動調節装置３００の回転軸３５４を中心に所定の回転半径を有して回転することができる。
【０１９１】
前記軸ガイド溝２７７は、前記第１ギア３６０の回転をガイドする溝であって、所定の曲率でラウンド状に延びる構成として理解される。一例として、前記軸ガイド溝２７７は、円周方向にラウンド状になるように形成することができる。すなわち、前記軸ガイド溝２７７は円弧の形状を有することができる。
【０１９２】
前記軸ガイド溝２７７には、前記第１ギア３６０の第１ギア軸３６２が挿入され得る。前記第１ギア３６０が回転する過程で、前記第１ギア軸３６２は前記軸ガイド溝２７７に沿って移動することができる。
【０１９３】
前記第２送風装置２００には、前記第３エアガイド装置２７０の上側に設けられ、前記第３エアガイド装置２７０を通過した空気の流動をガイドする第２吐出ガイド装置２８０が備えられる。
【０１９４】
前記第２吐出ガイド装置２８０は、内部が空いている略環状の形状を有することができる。詳細には、前記第２吐出ガイド装置２８０には、前記第２吐出ガイド装置２８０の外周面を形成し、円筒状の形状を有する吐出外壁２８１、及び前記吐出外壁２８１の内側に位置して前記第２吐出ガイド装置２８０の内周面を形成し、円筒状の形状を有する吐出内壁２８２が含まれる。
【０１９５】
前記吐出外壁２８１は、前記吐出内壁２８２を取り囲むように配置される。前記吐出外壁２８１の内周面と、前記吐出内壁２８２の外周面との間には、空気が流動する前記第３エアガイド装置２７０を通過した空気の流動が行われる吐出流路が形成される。前記吐出流路は、前記ガイドリブ２７５が備えられる空気流路の上側に位置し得る。
【０１９６】
前記第２吐出ガイド装置２８０には、前記吐出流路に配置される第２吐出グリル２８８がさらに含まれる。前記第２吐出グリル２８８は、前記吐出内壁２８２の外周面から前記吐出外壁２８１の内周面に延びる。
【０１９７】
前記第２吐出ガイド装置２８０には、前記吐出内壁２８２に結合される回転ガイド板２８３がさらに含まれる。前記回転ガイド板２８３は、前記吐出内壁２８２の内周面から前記第２吐出ガイド装置２８０の内部中心に向かって延びることができる。
【０１９８】
前記回転ガイド板２８３には、前記流動調節装置３００の左右方向の回転中心を提供する軸挿入部２８４が含まれる。前記軸挿入部２８４には前記回転軸３５４が挿入され得る。前記軸挿入部２８４は、前記第２吐出ガイド装置２８０の内部中心部に位置し得る。前記回転ガイド板２８３は、前記軸挿入部２８４を支持するための支持板として理解されてもよい。
【０１９９】
前記回転ガイド板２８３にはベアリング溝２８５がさらに含まれる。前記ベアリング溝２８５には、前記流動調節装置３００に備えられる第１ベアリング３５３が挿入され得る。前記ベアリング溝２８５は、前記第１ベアリング３５３の移動をガイドする溝であって、所定の曲率でラウンド状に延びる構成として理解される。一例として、前記ベアリング溝２８５は、円周方向にラウンド状になるように形成することができる。すなわち、前記ベアリング溝２８５は円弧の形状を有することができる。
【０２００】
前記流動調節装置３００の左右方向の回転過程で、前記第１ベアリング３５３は、前記ベアリング溝２８５に挿入されて移動し得、これによって、前記流動調節装置３００の回転過程で発生する摩擦力を減少させることができる。
【０２０１】
図１２は、本発明の第１実施例に係る流動調節装置及び前記流動調節装置が結合される部品の構成を示す分解斜視図であり、図１３は、本発明の第１実施例に係る流動調節装置の構成を示す斜視図であり、図１４は、本発明の第１実施例に係る第３エアガイド装置及び第２吐出ガイド装置の結合状態を示す図であり、図１５は、本発明の第１実施例に係る流動調節装置の構成を示す断面図である。
【０２０２】
図１２乃至図１５は、本発明の第１実施例に係る流動調節装置３００の左右方向の回転をガイドするための構成を示す。
【０２０３】
前記流動調節装置３００には、第３ファン３３０が収容される第３ファンハウジング３１０が含まれる。前記第３ファンハウジング３１０は略環状の形状を有する。
【０２０４】
前記第３ファンハウジング３１０には、外観を形成するハウジングケース３１０ａが含まれる。前記ハウジングケース３１０ａは固定された構成である。前記ハウジングケース３１０ａの内側には、回転可能に備えられるハウジング本体３１１，３１２が備えられる。すなわち、前記ハウジングケース３１０ａは、前記ハウジング本体３１１，３１２を取り囲むように構成される。
【０２０５】
詳細には、前記ハウジング本体３１１，３１２には、外周面を形成し、円筒状の形状を有するハウジング外壁３１１、及び前記ハウジング外壁３１１の内側に位置し、円筒状の形状を有するハウジング内壁３１２が含まれる。前記ハウジング外壁３１１は前記ハウジング内壁３１２を取り囲むように配置される。前記ハウジング外壁３１１の内周面と、前記ハウジング内壁３１２の外周面との間には、空気が流動するハウジング流路３１４が形成される。
【０２０６】
前記ハウジング内壁３１２の下部には、前記第３ファン３３０の上側をカバーし、空気の流動を遮断する遮蔽部３１３が備えられる。前記ハウジング内壁３１２と前記遮蔽部３１３は互いに結合されて、略Ｕの形状を有する。
【０２０７】
前記第３ファンハウジング３１０の内部には、前記第３ファン３３０が設置される設置空間が形成される。
【０２０８】
前記第３ファンハウジング３１０には、前記第３ファン３３０を通過した空気が排出される第２吐出部３０５を形成する吐出グリル３１５が備えられる。前記吐出グリル３１５は、略環状の形状を有し、前記ハウジング流路３１４の上側に結合され得る。前記ハウジング流路３１４を通過した空気は、前記吐出グリル３１５の第２吐出部３０５を経由して空気清浄機１０の外部に排出され得る。
【０２０９】
前記空気清浄機１０には、前記第１送風装置１００の第１吐出部１０５と共に前記第２吐出部３０５が備えられるので、吐出風量が改善され、様々な方向に空気が吐出される効果が奏される。
【０２１０】
前記ハウジング内壁３１２の上側にはトップカバー３９５が設置される。前記トップカバー３９５には、前記空気清浄機１０の運転情報が表示されるディスプレイ装置を備えることができる。そして、前記トップカバー３９５の下側空間にはディスプレイＰＣＢ３１８を設置することができる。すなわち、前記ハウジング内壁３１２、遮蔽部３１３及びトップカバー３９５は閉空間を形成し、前記閉空間には前記ディスプレイＰＣＢ３１８を設置することができる。
【０２１１】
前記第３ファンハウジング３１０の内部に設置される第３ファン３３０には、軸流ファンが含まれ得る。詳細には、前記第３ファン３３０は、軸方向に流入した空気を軸方向に排出させるように作動することができる。すなわち、前記第２ファン２６０、前記第３エアガイド装置２７０の第１空気流路２７２ａ、及び第２吐出ガイド装置２８０の吐出流路を経て前記第３ファン３３０に向かって上方に流動した空気は、前記第３ファン３３０から吐出されて、前記第３ファン３３０の上側に位置する第２吐出部３０５を介して外部に排出され得る。
【０２１２】
前記第３ファン３３０には、軸流ファンモータである第３ファンモータ３３５の回転軸３３６が結合される軸結合部を有するハブ３３１、及び前記ハブ３３１に円周方向に結合される多数のブレード３３３が含まれる。前記第３ファンモータ３３５は、前記第３ファン３３０の下側に結合され、第３モータハウジング３３７の内側に配置され得る。
【０２１３】
前記第１ファンモータ１６５及び第２ファンモータ２６５は、前記空気清浄機１０の縦方向を基準として一列に配置することができる。そして、前記第２ファンモータ２６５及び前記第３ファンモータ３３５は、前記空気清浄機１０の縦方向を基準として一列に配置することができる。まとめると、前記第１〜第３ファンモータ１６５，２６５，３３５又は第１〜第３ファン１６０，２６０，３３０の回転軸は、縦方向の同一軸線上に位置し得る。
【０２１４】
前記流動調節装置３００には、前記第３ファンハウジング３１０の下側に結合されて、前記第２吐出ガイド装置２８０を経た空気を前記第３ファンハウジング３１０にガイドする流動ガイド部３２０がさらに含まれる。
【０２１５】
前記流動ガイド部３２０には、前記第３ファンハウジング３１０への空気の流入をガイドする流入グリル３２５が含まれる。前記流入グリル３２５は、下方に凹んだ形状を有することができる。
【０２１６】
そして、前記第２吐出ガイド装置２８０の第２吐出グリル２８８の形状は、前記流入グリル３２５の形状に対応して下方に凹むように形成される。前記流入グリル３２５は、前記第２吐出グリル２８８の上側に装着され得る。このような構成によって、前記流入グリル３２５は、前記第２吐出グリル２８８に安定的に支持され得る。
【０２１７】
前記流動調節装置３００には、前記流動ガイド部３２０の下側に設置されて前記流動調節装置３００の左右方向への回転及び上下方向への回転をガイドする回転ガイド装置３５０がさらに含まれる。前記左右方向への回転を「第１方向回転」と呼び、前記上下方向への回転を「第２方向回転」と呼ぶことができる。
【０２１８】
前記回転ガイド装置３５０には、前記流動ガイド部３２０に結合されるガイド本体３５１、前記流動調節装置３００の第１方向回転をガイドするための第１ガイド機構、及び前記流動調節装置３００の第２方向回転をガイドするための第２ガイド機構が含まれる。
【０２１９】
前記ガイド本体３５１には、前記第１及び第２ガイド機構が設置される下面部３５１ａ、及び前記下面部３５１ａの周縁に備えられ、下方に突出するように構成される枠部３５１ｂが含まれる。
【０２２０】
前記第１ガイド機構には、駆動力を発生させる第１ギアモータ３６３、及び前記第１ギアモータ３６３に結合されて回転できる第１ギア３６０が含まれる。一例として、前記第１ギアモータ３６３には、回転角度の制御が容易なステップモータ（ｓｔｅｐ  ｍｏｔｏｒ）が含まれてもよい。
【０２２１】
前記第１ギア３６０は、前記第１ギアモータ３６３のモータ軸３６３ａに結合される。前記第１ガイド機構には、前記第１ギア３６０から下方に、すなわち、前記第３エアガイド装置２７０又は前記第２吐出ガイド装置２８０に向かって延びる第１ギア軸３６２が含まれる。
【０２２２】
前記第１ギア３６０は、前記第３エアガイド装置２７０の第１ラック２７６にギア結合される。前記第１ギア３６０及び前記第１ラック２７６には、多数のギア歯が形成される。そして、前記第１ギアモータ３６３が駆動されると、前記第１ギア３６０は回転して前記第１ラック２７６に連動する。このとき、前記第３エアガイド装置２７０は固定された構成であるため、前記第１ギア３６０は移動することができる。
【０２２３】
そして、前記第３エアガイド装置２７０の軸ガイド溝２７７は、前記第１ギア３６０の移動をガイドすることができる。詳細には、前記第１ギア軸３６２は、前記軸ガイド溝２７７に挿入され得る。そして、前記第１ギア軸３６２は、前記第１ギア３６０が回転する過程で前記軸ガイド溝２７７に沿って移動することができる。
【０２２４】
前記第１ガイド機構には、前記流動調節装置３００の回転中心を構成する回転軸３５４がさらに含まれる。前記第１ギア３６０及び前記第１ギア軸３６２は、回転軸３５４を中心に設定された回転半径を有して回転することができる。このとき、前記設定された回転半径を「第１回転半径」と呼ぶ。
【０２２５】
前記第１ラック２７６及び前記軸ガイド溝２７７は、前記流動調節装置３００の回転量又は回転角度に対応する長さに形成することができる。
【０２２６】
前記回転軸３５４は、前記ガイド本体３５１の下面部３５１ａに備えることができる。詳細には、前記回転軸３５４は、前記下面部３５１ａから下方に突出し得る。前記回転軸３５４は、前記第２吐出ガイド装置２８０の軸挿入部２８４に挿入され、前記軸挿入部２８４内で回転することができる。
【０２２７】
すなわち、前記第１ギア３６０が回転すると、前記第１ギア軸３６２及び第１ギア３６０は前記回転軸３５４を中心に円周方向に回転する。そして、前記回転軸３５４は、前記軸挿入部２８４内で自転するようになる。したがって、前記流動調節装置３００は、縦方向を軸方向として、第１方向、すなわち、時計方向又は反時計方向に回転することができる。
【０２２８】
前記第１ガイド機構には、前記流動調節装置３００の第１方向回転を容易にするためのベアリング３５３，３５５がさらに含まれる。前記ベアリング３５３，３５５は、前記流動調節装置３００の回転過程で発生する摩擦力を減少させることができる。
【０２２９】
前記ベアリング３５３，３５５には、前記ガイド本体３５１の下面部３５１ａに備えられる第１ベアリング３５３が含まれる。一例として、前記第１ベアリング３５３にはボールベアリング（ｂａｌｌ  ｂｅａｒｉｎｇ）が含まれてもよい。そして、前記第１ガイド機構には、前記下面部３５１ａから下方に突出して前記第１ベアリング３５３を支持するベアリング支持部３５４がさらに含まれる。
【０２３０】
前記ベアリング支持部３５４は設定された長さに形成されることで、前記第１ベアリング３５３が前記回転ガイド板２８３に接触できる位置に配置され得るようにする。
【０２３１】
前記回転ガイド板２８３には、前記第１ベアリング３５３が挿入されるベアリング溝２８５が含まれる。前記流動調節装置３００が第１方向回転する過程で、前記第１ベアリング３５３は前記ベアリング溝２８５に挿入されて移動することができる。
【０２３２】
このとき、前記第１ベアリング３５３は、前記回転軸３５４を中心に設定された回転半径に回転することができる。このとき、前記設定された回転半径を「第２回転半径」という。前記第２回転半径は、前記第１回転半径よりも小さく形成することができる。すなわち、前記回転軸３５４から前記第１ベアリング３５３までの距離は、前記回転軸３５４から前記第１ギア軸３６２までの距離よりも短く形成することができる。
【０２３３】
まとめると、前記第１ギア軸３６２が前記軸ガイド溝２７７に沿って移動するとき、前記第１ベアリング３５３は前記ベアリング溝２８５に沿って移動することができる。前記第１ギア軸３６２及び前記第１ベアリング３５３の円滑な移動のために、前記軸ガイド溝２７７の設定された曲率と、前記ベアリング溝２８５の設定された曲率とは同一であり得る。
【０２３４】
前記ベアリング３５３，３５５には前記第２ベアリング３５５がさらに含まれる。前記第２ベアリング３５５は、前記枠部３５１ｂに回転可能に設置することができる。前記枠部３５１ｂには、前記第２ベアリング３５５が結合されるベアリング挿入部３５１ｃを形成することができる。そして、前記第２ベアリング３５５は多数個備えることができる。
【０２３５】
前記第２ベアリング３５５は、前記第２吐出ガイド装置２８０の吐出内壁２８２に接触可能に備えることができる。すなわち、前記吐出内壁２８２の内周面は、前記第２ベアリング３５５の接触面を形成することができる。前記第２ベアリング３５５が前記回転軸３５４を中心に前記吐出内壁２８２の内周面に沿って回転することによって、前記流動調節装置３００の第１方向回転を容易に行うことができる。
【０２３６】
図１６は、本発明の第１実施例に係る流動調節装置の構成を示す分解斜視図であり、図１７は、本発明の第１実施例に係る流動調節装置の駆動部及び固定部の構成を示す分解斜視図であり、図１８は、本発明の第１実施例に係る流動調節装置に備えられる第２ラック及び第２ギアが連動する様子を示す図であり、図１９乃至図２１は、本発明の第１実施例に係る流動調節装置が第２位置にある様子を示す図である。
【０２３７】
図１６乃至図１８を参照すると、本発明の第２実施例に係る第２ガイド機構には、前記ガイド本体３５１に固定される固定ガイド部材３５２が含まれる。前記固定ガイド部材３５２の下面に前記中心軸３５４を備えることができる。
【０２３８】
前記固定ガイド部材３５２には、回転ガイド部材３７０の第２方向回転をガイドする第１ガイド面３５２ａが含まれる。前記第１ガイド面３５２ａは、前記回転ガイド部材３７０の回転経路に対応して、上方にラウンド状に延びることができる。
【０２３９】
前記固定ガイド部材３５２には、前記回転ガイド部材３７０に接触可能に備えられて、前記回転ガイド部材３７０の回転運動時に発生する摩擦力を低減させることができる第１ガイドベアリング３５９がさらに含まれる。前記第１ガイドベアリング３５９は、前記第１ガイド面３５２ａの側方に位置し得る。
【０２４０】
前記固定ガイド部材３５２には、前記回転ガイド部材３７０の回転のために、第２ギア３６５が挿入され得る第２ギア挿入部３５２ｂがさらに含まれる。前記第２ギア挿入部３５２ｂは、前記第１ガイド面３５２ａの一側に形成される。一例として、前記第２ギア挿入部３５２ｂは、前記第１ガイド面３５２ａの少なくとも一部分が切開された形状を有することができる。
【０２４１】
前記第２ギア３６５は、前記第１ガイド面３５２ａの下側に位置し、前記第２ギア３６５の少なくとも一部分は、前記第２ギア挿入部３５２ｂを貫通して前記第２ギア挿入部３５２ｂの上側に突出するように構成することができる。
【０２４２】
前記第２ガイド機構には、前記第２ギア３６５に結合されて駆動力を提供する第２ギアモータ３６７がさらに含まれる。一例として、前記第２ギアモータ３６７にはステップモータが含まれてもよい。そして、前記第２ガイド機構には、前記第２ギアモータ３６７から前記第２ギア３６５に延びる第２ギア軸３６６がさらに含まれる。前記第２ギアモータ３６７が駆動されると、前記第２ギア軸３６６と前記第２ギア３６５は共に回転することができる。
【０２４３】
前記第２ガイド機構には、前記固定ガイド部材３５２の上側に回転可能に備えられる回転ガイド部材３７０がさらに含まれる。前記回転ガイド部材３７０は、前記流動ガイド部３２０の下側に結合され得る。
【０２４４】
詳細には、前記回転ガイド部材３７０には、前記固定ガイド部材３５２によって支持される本体部３７１が含まれる。そして、前記本体部３７１には、前記第１ガイド面３５２ａに沿って移動する第２ガイド面３７２が含まれる。前記第２ガイド面３７２は、前記第１ガイド面３５２ａの曲率に対応してラウンド状に形成することができる。
【０２４５】
前記回転ガイド部材３７０には、前記固定ガイド部材３５２に接触可能に備えられて、前記回転ガイド部材３７０の回転運動時に発生する摩擦力を低減させることができる第２ガイドベアリング３７５がさらに含まれる。前記第２ガイドベアリング３７５は、前記第２ガイド面３７２の側方に位置し得る。
【０２４６】
前記回転ガイド部材３７０には、前記第２ギア３６５に連動する第２ラック３７４がさらに含まれる。前記第２ギア３６５及び前記第２ラック３７４には多数のギア歯が形成され、前記多数のギア歯を介して、前記第２ギア３６５と前記第２ラック３７４はギア結合され得る。
【０２４７】
図１９乃至図２１を参照すると、前記流動調節装置３００が第２方向に回転して前記ハウジングケース３１０ａの上側に突出した「第２位置」にある様子が示されている。反面、図１５の状態で、前記流動調節装置３００のハウジング本体３１１，３１２が横になっている位置、すなわち、前記ハウジング本体３１１，３１２の上部が前記ハウジングケース３１０ａの上部に対応する高さにある位置を「第１位置」ということができる。
【０２４８】
前記第２ギアモータ３６７が駆動すると、前記第２ギア３６５と前記第２ラック３７４の連動によって、前記回転ガイド部材３７０は上下方向に回転する動きを有することができる。したがって、前記流動調節装置３００は、前記回転ガイド部材３７０の動きに従って、第２方向回転を行うことができる。図１９乃至図２１の様子は、前記流動調節装置３００が上方に回転したときの様子を示す。
【０２４９】
そして、前記第３ファンモータ３３５が駆動すると、前記第３ファン３３０が駆動し、前記第２吐出ガイド装置２８０から排出された空気の少なくとも一部の空気が前記第３ファンハウジング３１０の内部に流入することができる。そして、前記流入した空気は、前記第３ファン３３０を通過し、前記第２吐出部３０５を介して外部に排出され得る。このとき、前記第２吐出部３０５を介して排出される空気は前方上側に向かうようになる。ここで、「前方」ということは、前記第２吐出部３０５が向かう方向として理解できる。
【０２５０】
そして、前記流動調節装置３００が第２位置にある状態で、第１方向回転が行われ得る。前記したように、前記第１方向回転は、前記第１ギア３６０と第１ラック２７６の連動によって行われ得る。
【０２５１】
このような作用によれば、空気清浄機１０から吐出される空気が単に上方に向かうものではなく、前方に向かうことができるので、空気清浄機１０から相対的に遠く離れた空間に向かう気流が発生することができる。そして、前記流動調節装置３００には別途の第３ファン３３０が備えられるので、吐出される空気の送風力が増加し得る。
【０２５２】
また、前記流動調節装置３００は前記第１方向回転を行うことができるので、前記空気清浄機１０の前方両側に空気を吐出することができ、これによって、相対的に広い室内空間に向かって気流を提供できるという効果が奏される。
【０２５３】
空気清浄機１０の運転モードに応じて、前記流動調節装置３００は選択的に作用することができる。
【０２５４】
空気清浄機１０が一般運転モード（第１運転モード）で運転される場合、図１及び図１５に示されるように、前記流動調節装置３００は横になっている第１位置にあることになる。そして、前記第１及び第２送風装置１００，２００が駆動して、独立した多数の気流を形成できる。
【０２５５】
すなわち、前記第１送風装置１００が駆動すると、前記第１吸込部１０２及びベース吸込部１０３を介した空気の吸い込みが行われ、第１フィルター部材１２０及び第１ファン１６０を通過して前記第１吐出部１０５を介して排出され得る。
【０２５６】
そして、前記第２送風装置２００が駆動されると、前記第２吸込部２０２を介した空気の吸い込みが行われ、第２フィルター部材２２０及び第２ファン２６０を通過し、前記第３ファン３３０を経由することができる。そして、前記第２吐出部３０５を介して上方に向かって排出され得る。このとき、前記第３ファン３３０はオフされていてもよい。勿論、前記第２吐出部３０５に向かう吐出気流を強く形成するために、前記第３ファン３３０が駆動されてもよいことは勿論である。
【０２５７】
反面、前記空気清浄機１０が流動切替モード（第２運転モード）で運転される場合、図１９乃至図２１に示されるように、前記流動調節装置３００のハウジング本体３１１，３１２は上方に突出して、前記ハウジング本体３１１，３１２の上部が前記ハウジングケース３１０ａの上部よりも高い位置にあることになる。一方、流動切替モードでの前記第１及び第２送風装置１００，２００の駆動は、一般運転モードでの第１及び第２送風装置１００，２００の駆動様子と同一であり得る。
【０２５８】
一方、前記第３ファン３３０が駆動され、これによって、前記第２ファン２６０を通過した空気の少なくとも一部の空気は前記第３ファンハウジング３１０に流入する。そして、前記流入した空気の少なくとも一部の空気は、前記第３ファン３３０を通過しながら、前記空気清浄機１０の前方に向かって吐出され得る。
【０２５９】
そして、前記流動調節装置３００は、第１位置にある状態で、第１方向回転を行いながら、前記空気清浄機１０の前方両側の方向に気流を変化させることができる。
【０２６０】
説明の便宜上、前記の構成要素について以下のように定義する。
【０２６１】
前記第１フィルター部材１２０と前記第２フィルター部材２２０を合わせて「フィルター部材」、前記第１フィルターフレーム１３０と前記第２フィルターフレーム２３０を合わせて「フィルターフレーム」、前記第１ファンハウジング１５０と前記第２ファンハウジング２５０を合わせて「ファンハウジング」、前記第１ファン１６０と前記第２ファン２６０を合わせて「ファン」と呼ぶことができる。
【０２６２】
図２２乃至図２４は、本発明の第１実施例に係る空気清浄機での空気流動の様子を示す図である。
【０２６３】
まず、第１送風装置１００の駆動による空気の流れを説明する。第１ファン１６０が駆動すると、第１吸込部１０２及びベース吸込部１０３を介して室内空気が第１ケース１０１の内部に吸い込まれる。吸い込まれた空気は、第１フィルター部材１２０を通過し、この過程で空気中の異物がろ過され得る。そして、空気が第１フィルター部材１２０を通過する過程で、空気は第１フィルター部材１２０の半径方向に吸い込んでろ過された後、上方に流動する。
【０２６４】
前記第１フィルター部材１２０を通過した空気は、第１ファン１６０を通過しながら半径方向上側に流動し、第１及び第２エアガイド装置１７０，１８０を通過しながら安定した上方流動が行われる。前記第１及び第２エアガイド装置１７０，１８０を通過した空気は、第１吐出ガイド装置１９０を経由し、第１吐出部１０５を介して上方に流動する。前記第１吐出部１０５を介して排出された空気は、前記第１吐出ガイド装置１９０の上側に位置した遮断壁４３０によってガイドされて前記空気清浄機１０の外部に排出される。
【０２６５】
一方、第２ファン２６０が駆動すると、第２吸込部２０２を介して室内空気が第２ケース２０１の内部に吸い込まれる。吸い込まれた空気は、第２フィルター部材２２０を通過し、この過程で空気中の異物がろ過され得る。そして、空気が第２フィルター部材２２０を通過する過程で、空気は第２フィルター部材２２０の半径方向に吸い込んでろ過された後、上方に流動する。
【０２６６】
前記第２フィルター部材２２０を通過した空気は、第２ファン２６０を通過しながら半径方向上側に流動し、第３エアガイド装置２７０及び第２吐出ガイド装置２８０を通過しながら安定した上方流動が行われる。前記第３エアガイド装置２７０及び第２吐出ガイド装置２８０を通過した空気は、流動調節装置３００を経由して第２吐出部３０５を介して排出され得る。
【０２６７】
前記流動調節装置３００は、第２ガイド機構によって上下方向に回転可能に備えられ得る。一例として、図２２及び図２３に示されるように、前記流動調節装置３００が第１位置にあると、前記流動調節装置３００から排出された空気は上方に流動する。
【０２６８】
反面、前記流動調節装置３００が第２位置にあると、前記流動調節装置３００から排出された空気は前方上側に向かって流動し得る。前記流動調節装置３００によって、空気清浄機１０から排出される空気の風量は増加し、空気清浄機１０から遠く離れた位置まで浄化された空気を供給できるという利点がある。
【０２６９】
詳細には、前記流動調節装置３００の第３ファン３３０が駆動すると、前記第２吐出ガイド装置２８０から排出された空気の少なくとも一部の空気が前記第３ファンハウジング３１０の内部に流入し得る。そして、前記流入した空気は、前記第３ファン３３０を通過し、前記第２吐出部３０５を介して外部に排出され得る。
【０２７０】
一方、前記流動調節装置３００は、前記第２位置にある状態で、第１ガイド機構によって左右方向に回転することができる。一例として、前記流動調節装置３００が前方上側に向かう場合、前記第２吐出部３０５を介して排出される空気は前方上側に流動し得る。反面、前記流動調節装置３００が後方上側に向かう場合、前記第２吐出部３０５を介して排出される空気は後方上側に流動し得る。
【０２７１】
このような作用によれば、空気清浄機１０から吐出される空気が単に上方に向かうものではなく、前方に向かうことができるので、空気清浄機１０から相対的に遠く離れた空間に向かう気流が発生することができる。そして、前記流動調節装置３００には別途の第３ファン３３０が備えられるので、吐出される空気の送風力が増加し得る。
【０２７２】
図２５及び図２６は、本発明の第２実施例に係る空気清浄機の構成を示す図である。
【０２７３】
図２５及び図２６を参照すると、本発明の第２実施例に係る空気清浄機１０ａには、一つの送風装置２００’及び流動調節装置３００’が含まれる。第１実施例と比較するとき、前記空気清浄機１０ａは、第１送風装置１００を除去し、第２送風装置２００及び流動調節装置３００で構成されるものとして理解できる。
【０２７４】
前記一つの送風装置２００’には、地面に載置されるベース２０’、及び前記ベース２０の上側に設置され、吸込口１１２’を有する吸込グリル１１０’が含まれる。前記ベース２０’及び吸込グリル１１０’に関する説明は、第１実施例の第１送風装置１００に関する説明を援用する。
【０２７５】
前記一つの送風装置２００’には、前記吸込グリル１１０’の上側に設置されるフィルター部材２２０’、ファン２６０’、ファンモータ２６５’、ファンハウジング２５０’、エアガイド装置２７０’、及び吐出ガイド装置２８０’が含まれる。そして、前記空気清浄機１０ａには、吐出部３０５’を有する流動調節装置３００’が含まれる。前記流動調節装置３００’には、第３ファン３３０’及び第３ファンモータ３３５’が含まれる。
【０２７６】
前記一つの送風装置２００’及び流動調節装置３００’に関する説明は、第１実施例で説明した第２送風装置２００及び流動調節装置３００に関する説明を援用する。室内空間の大きさが大きくない場合、一つの送風装置及び流動調節装置を含む空気清浄機を作動することによって、十分な空気清浄能力を達成することができる。
【０２７７】
一方、第１実施例で説明したＰＣＢ装置は前記ベース２０’の内部に設置することができる。この場合、前記ＰＣＢ装置を設置するための別途の空間が不要となり、これによって、空気清浄機の空間活用性が改善される効果が奏される。
【０２７８】
図２７及び図２８は、本発明の第３実施例に係る空気清浄機の構成を示す図である。
【０２７９】
図２７及び図２８を参照すると、本発明の第３実施例に係る空気清浄機１０ｂには一つの送風装置１００’が含まれる。第１実施例と比較するとき、前記空気清浄機１０ｂは、第２送風装置２００及び流動調節装置３００を除去し、第１送風装置１００で構成されるものとして理解できる。
【０２８０】
前記一つの送風装置１００’には、ベース２０、吸込口１１２’を有する吸込グリル１１０’、フィルター部材１２０’、ファン１６０’、ファンハウジング１５０’、エアガイド装置１７０’、及び吐出部１０５’を有する吐出ガイド装置１９０’が含まれる。
【０２８１】
前記一つの送風装置１００’に関する説明は、第１実施例の第１送風装置１００に関する説明を援用する。室内空間の大きさが大きくない場合、一つの送風装置を含む空気清浄機を作動することによって、十分な空気清浄能力を達成することができる。
【０２８２】
一方、第１実施例で説明したＰＣＢ装置は前記ベース２０の内部に設置することができる。この場合、前記ＰＣＢ装置を設置するための別途の空間が不要となり、これによって、空気清浄機の空間活用性が改善される効果が奏される。
【０２８３】
図２９及び図３０は、本発明の第４実施例に係る空気清浄機の構成を示す図である。
【０２８４】
図２９及び図３０を参照すると、本発明の第４実施例に係る空気清浄機１０ｃには第１及び第２送風装置１００”，２００”が含まれる。第１実施例と比較するとき、前記空気清浄機１０ｃは、流動調節装置３００を除去し、第１及び第２送風装置１００で構成されるものとして理解できる。
【０２８５】
前記第１及び第２送風装置１００”，２００”の間には、前記第１及び第２送風装置１００”，２００”からそれぞれ発生する気流を分離するための仕切り板４３０”が備えられる。前記空気清浄機１０ｃには、前記仕切り板４３０”の下側に備えられ、半径方向外側にラウンド状に延びる第１ラウンド部４３１”、及び前記仕切り板４３０”の上側に備えられ、半径方向内側にラウンド状に延びる第２ラウンド部４３２”が含まれる。
【０２８６】
前記第１ラウンド部４３１”は、前記第１送風装置１００”から排出された空気を半径方向外側にガイドする。そして、前記第２送風装置２００”と前記第２ラウンド部４３２”との間の空間には、使用者が空気清浄機１０ｃを移動させるために把持できる把持空間部が形成される。
【産業上の利用可能性】
【０２８７】
本実施例によれば、円筒状のケースの外周面に沿って吸込部が形成されるので吸込容量を改善することができ、空気の吸込過程でケースの構造的な抵抗が発生しないという効果があるので、産業上の利用可能性が顕著である。
【図１】
2019509171.tif 000003
【図２】
2019509171.tif 000004
【図３】
2019509171.tif 000005
【図４】
2019509171.tif 000006
【図５】
2019509171.tif 000007
【図６】
2019509171.tif 000008
【図７】
2019509171.tif 000009
【図８】
2019509171.tif 000010
【図９】
2019509171.tif 000011
【図１０】
2019509171.tif 000012
【図１１】
2019509171.tif 000013
【図１２】
2019509171.tif 000014
【図１３】
2019509171.tif 000015
【図１４】
2019509171.tif 000016
【図１５】
2019509171.tif 000017
【図１６】
2019509171.tif 000018
【図１７】
2019509171.tif 000019
【図１８】
2019509171.tif 000020
【図１９】
2019509171.tif 000021
【図２０】
2019509171.tif 000022
【図２１】
2019509171.tif 000023
【図２２】
2019509171.tif 000024
【図２３】
2019509171.tif 000025
【図２４】
2019509171.tif 000026
【図２５】
2019509171.tif 000027
【図２６】
2019509171.tif 000028
【図２７】
2019509171.tif 000029
【図２８】
2019509171.tif 000030
【図２９】
2019509171.tif 000031
【図３０】
2019509171.tif 000032
【国際調査報告】
2019509171.tif 000033
2019509171.tif 000034
2019509171.tif 000035
2019509171.tif 000036